(57)【要約】【課題】小型化を図ることができ、且つ、接続作業時の位置決め部の破損を防止することができる基板接続コネクタの提供。【解決手段】ソケット７に接続方向に向けた雌側ガイド溝８を有する雌側案内部９，９を備え、プラグ４に雌側ガイド溝８に挿通される雄側被案内体１０を備え、雌側案内部９は、雌側ガイド溝８を挟んでコネクタ幅方向で対向する周壁部２５，２５に凹状の回避用切欠部３０が形成されるとともに、両側壁部２５，２５間に雌側被案内体２８を備え、雄側被案内体１０は、雌側被案内体２８が挿入される嵌合方向に向けた雄側ガイド溝１４を備え、雌側被案内体２８のコネクタ幅方向両側面部を雄側ガイド溝１４の内側面部に案内させるようにした基板接続コネクタ。【選択図】図１
2014203554.tif 000002
【特許請求の範囲】
【請求項１】
外側面部に複数のプラグ側信号端子が配設された突条状のプラグ部を有するプラグと、前記各プラグ部が挿入されるプラグ挿入溝の互いに対向する内側面部に複数のソケット側信号端子が配設されたソケットとを備え、
前記プラグ又はソケットのいずれか一方に接続方向に向けた雌側ガイド溝を有する雌側案内部を備え、他方に前記雌側ガイド溝に挿通される雄側被案内体を備え、前記プラグとソケットとを接続する際、前記雄側被案内体を前記雌側ガイド溝の内側面部に案内させることにより、前記各プラグ部が前記各プラグ挿入溝の所定の位置で嵌合されるようにした基板接続コネクタにおいて、
前記雌側案内部は、前記雌側ガイド溝を挟んでコネクタ幅方向で対向する周壁部に凹状の回避用切欠部が形成されるとともに、前記両側壁部間に該周壁部と平行配置に雌側被案内体を備え、
前記雄側被案内体は、前記雌側被案内体が挿入される嵌合方向に向けた雄側ガイド溝を備え、
前記雌側被案内体のコネクタ幅方向両側面部を前記雄側ガイド溝の内側面部に案内させるようにしたことを特徴としてなる基板接続コネクタ。
【請求項２】
前記雄側ガイド溝の相手側開口縁部に形成された相手側に進むにつれてコネクタ幅方向で拡開する拡開部を備え、且つ／又は前記雌側被案内体の相手側端部に相手側に進むにつれてコネクタ幅方向幅が狭まる縮幅部を備えた請求項１に記載の基板接続コネクタ。
【発明の詳細な説明】
【技術分野】
【０００１】
本発明は、主に基板対基板の接続に用いられる基板接続コネクタに関する。
【背景技術】
【０００２】
従来、基板と基板との電気的接続には、外側面部に複数のプラグ側信号端子を並べて配置した突条状のプラグ部を有するプラグと、プラグ部が挿入されるプラグ挿入溝を有し、このプラグ挿入溝の内側面に複数のソケット側信号端子を配置したソケットとを備えた基板接続コネクタが用いられ、ソケットとプラグとを接続してプラグ挿入溝にプラグ部を嵌め込み、前記両信号端子を互いに弾性的に接触させることにより電気的接続がなされるようになっている。
【０００３】
このような基板接続コネクタは、ソケットの長手方向両端部に接続方向に向けた矩形状のガイド溝を有する雌側案内部を備えるとともに、プラグの長手方向両端部に端面がプラグ部端面よりソケット側に膨出した形状の被案内体を備え、この被案内体のコネクタ幅方向側面及びコネクタ長手方向端面をガイド溝の内側面に案内させることにより、プラグ部がプラグ挿入溝内の所定の位置に嵌合されるようになっている（例えば、特許文献１を参照）。
【０００４】
また、この基板接続コネクタには、ソケットの周縁部に形成されたガイド溝の相手側開口縁部に、対向面距離が基板側に進むにつれて狭まるように傾斜した傾斜面が形成され、接続作業の際、ソケットとプラグとが水平方向でずれが生じた場合、被案内体の側縁が傾斜面上を摺動することにより被案内体をガイド溝に誘導させることで当該ズレを吸収できるようになっている。
【先行技術文献】
【特許文献】
【０００５】
【特許文献１】特開２０１０−９７７２４号公報
【発明の概要】
【発明が解決しようとする課題】
【０００６】
しかしながら、上述の如き従来の技術では、コネクタ全体の小型化を実現する為にガイド溝周りの雌側案内部周壁の肉厚を薄くすると周壁の強度が不足し、周壁に被案内体が衝突した際に破損してしまう虞があった。
【０００７】
一方、周壁の強度を確保するために周壁を金属板材で補強することも考えられるが、当該金属板材の厚みの分周壁が厚くならざるを得ず、コネクタの小型化を阻害する要因になり得るものであった。
【０００８】
更には、周壁の肉厚が薄くなると誘導用の傾斜面部の水平方向距離を十分にとることができず、位置ずれ調整可能距離も短くなるという問題があった。
【０００９】
そこで本発明は、このような従来の問題に鑑み、小型化を図ることができ、且つ、接続作業時の位置決め部の破損を防止することができる基板接続コネクタの提供を目的としてなされたものである。
【課題を解決するための手段】
【００１０】
上述の如き従来の問題を解決し、所期の目的を達成するための請求項1に記載の発明の特徴は、外側面部に複数のプラグ側信号端子が配設された突条状のプラグ部を有するプラグと、前記各プラグ部が挿入されるプラグ挿入溝の互いに対向する内側面部に複数のソケット側信号端子が配設されたソケットとを備え、前記プラグ又はソケットのいずれか一方に接続方向に向けた雌側ガイド溝を有する雌側案内部を備え、他方に前記雌側ガイド溝に挿通される雄側被案内体を備え、前記プラグとソケットとを接続する際、前記雄側被案内体を前記雌側ガイド溝の内側面部に案内させることにより、前記各プラグ部が前記各プラグ挿入溝の所定の位置で嵌合されるようにした基板接続コネクタにおいて、前記雌側案内部は、前記雌側ガイド溝を挟んでコネクタ幅方向で対向する周壁部に凹状の回避用切欠部が形成されるとともに、前記両側壁部間に該周壁部と平行配置に雌側被案内体を備え、前記雄側被案内体は、前記雌側被案内体が挿入される嵌合方向に向けた雄側ガイド溝を備え、前記雌側被案内体のコネクタ幅方向両側面部を前記雄側ガイド溝の内側面部に案内させるようにした基板接続コネクタにある。
【００１１】
請求項２に記載の発明の特徴は、請求項１の構成に加え、前記雄側ガイド溝の相手側開口縁部に形成された相手側に進むにつれてコネクタ幅方向で拡開する拡開部を備え、且つ／又は前記雌側被案内体の相手側端部に相手側に進むにつれてコネクタ幅方向幅が狭まる縮幅部を備えたことにある。
【発明の効果】
【００１２】
本発明に係る基板接続コネクタは、上述したように、外側面部に複数のプラグ側信号端子が配設された突条状のプラグ部を有するプラグと、前記各プラグ部が挿入されるプラグ挿入溝の互いに対向する内側面部に複数のソケット側信号端子が配設されたソケットとを備え、前記プラグ又はソケットのいずれか一方に接続方向に向けた雌側ガイド溝を有する雌側案内部を備え、他方に前記雌側ガイド溝に挿通される雄側被案内体を備え、前記プラグとソケットとを接続する際、前記雄側被案内体を前記雌側ガイド溝の内側面部に案内させることにより、前記各プラグ部が前記各プラグ挿入溝の所定の位置で嵌合されるようにした基板接続コネクタにおいて、前記雌側案内部は、前記雌側ガイド溝を挟んでコネクタ幅方向で対向する周壁部に凹状の回避用切欠部が形成されるとともに、前記両側壁部間に該周壁部と平行配置に雌側被案内体を備え、前記雄側被案内体は、前記雌側被案内体が挿入される嵌合方向に向けた雄側ガイド溝を備え、前記雌側被案内体のコネクタ幅方向両側面部を前記雄側ガイド溝の内側面部に案内させるようにしたことにより、ソケットとプラグとを接続する際、破損し易い雌側ガイド溝の周壁部への被案内体の接触を回避できるので、当該周壁部の薄肉化が可能となり、その分コネクタ全体の小型化も図ることができる。
【００１３】
また、本発明において、前記雄側ガイド溝の相手側開口縁部に形成された相手側に進むにつれてコネクタ幅方向で拡開する拡開部を備え、且つ／又は前記雌側被案内体の相手側端部に相手側に進むにつれてコネクタ幅方向幅が狭まる縮幅部を備えたことにより、コネクタ全体が小型化されても、十分な位置ずれ調節可能距離を確保することができる。
【図面の簡単な説明】
【００１４】
【図１】本発明に係る基板接続コネクタの一例を示す分解斜視図である。
【図２】図１中のプラグを示す平面図、（ｂ）は同正面図、（ｃ）は同底面図、（ｄ）は同側面図である。
【図３】図１中のソケットを示す図であって（ａ）は平面図、（ｂ）は正面図、（ｃ）は同Ａ−Ａ線断面図である。
【図４】コネクタ長方向の位置調整作業を説明するための部分拡大正面図である。
【図５】同上のコネクタ幅方向の位置調整作業を説明するための部分拡大断面図である。
【発明を実施するための形態】
【００１５】
次に、本発明に係る基板接続コネクタの実施の態様を図１〜図５に示した実施例に基づいて説明する。図中符号１は基板対基板接続用の基板接続コネクタである。
【００１６】
この基板接続コネクタ１は、図１に示すように、外側部に複数のプラグ側信号端子２，２...を配置させた突条状のプラグ部３，３を有するプラグ４と、プラグ部３，３が挿入されるプラグ挿入溝５，５の内側面部に複数のソケット側信号端子６，６...を配置させたソケット７とを備え、プラグ部３，３をプラグ挿入溝５，５内に嵌合させることによりプラグ側信号端子２，２...とソケット側信号端子６，６...とが接続され、この信号端子２，６を介してそれぞれプラグ４とソケット７を実装させた基板同士が電気的に接続されるようになっている。
【００１７】
尚、本実施例においては、プラグ部３の長手方向をコネクタ長手方向、コネクタ長手方向と水平方向で直交する方向をコネクタ幅方向、プラグ４とソケット７が互いに対向する方向を接続方向として説明する。
【００１８】
この基板接続コネクタ１は、ソケット７に接続方向に向けた雌側ガイド溝８を有する雌側案内部９，９を設けるとともに、プラグ４に雌側ガイド溝８に嵌め込まれる雄側被案内体１０，１０を設け、プラグ４とソケット７とを接続する際、雄側被案内体１０を雌側ガイド溝８の内側面部に案内させることにより、各プラグ部３，３が各プラグ挿入溝５，５の所定の位置で嵌合されるようになっている。
【００１９】
プラグ４は、図２に示すように、突条状のプラグ部３，３を有する絶縁樹脂製のプラグ本体１１を備え、このプラグ本体１１に複数のプラグ側信号端子２，２...がインサート成形により一体的に組み込まれている。
【００２０】
プラグ本体１１は、絶縁性合成樹脂により一体に形成され、平板状の基部１２と、基部１２の表面より突出したコネクタ長手方向に延びる突条状のプラグ部３，３と、コネクタ長手方向両端部に配置された雄側被案内体１０，１０とを備え、基部１２と両プラグ部３，３とをもってコ字状断面がコネクタ長手方向に連続した形状を成すとともに、両プラグ部３，３とその両端に配置された雄側被案内体１０，１０とで平面視矩形枠状を成している。
【００２１】
雄側被案内体１０は、直方体状に形成され、そのソケット側端面部にソケット７（相手）側に膨出した形状の誘導用凸部１３，１３を一体に有している。
【００２２】
誘導用凸部１３，１３は、ソケット側端面高さがプラグ部３，３のソケット側端面高さより高く、且つ、その周縁部にそれぞれ誘導傾斜面部１３ａ，１３ｂが形成された四角錐台状に形成されている。
【００２３】
また、雄側被案内体１０は、コネクタ長手方向端面部に接続方向に向けた凹溝状の雄側ガイド溝１４を備えている。
【００２４】
雄側ガイド溝１４は、両誘導用凸部１３，１３間に配置され、両誘導用凸部１３，１３のコネクタ幅方向で互いに対向する傾斜面部１３ａ，１３ａが雄側ガイド溝１４のソケット７側開口縁部に雄側ガイド溝１４のコネクタ幅方向内側面１４ａと連続するように配置され、両傾斜面部１３ａ，１３ａにより雄側ガイド溝１４の相手側開口縁部に相手側に進むにつれてコネクタ幅方向で拡開する拡開部１５が形成されている。
【００２５】
ソケット７は、図３に示すように、絶縁性樹脂材からなるソケット本体２０と、複数のソケット側信号端子６，６...とを備え、ソケット本体２０にソケット側信号端子６，６...を組み込むことにより形成されている。
【００２６】
ソケット本体２０は、絶縁性合成樹脂により一体に形成され、平板状の嵌合部２１と、嵌合部２１の両端側に配置された雌側ガイド溝８を有する雌側案内部９，９とを備えている。
【００２７】
嵌合部２１は、平板状の底板部２２のコネクタ幅方向両側縁より立ち上げた形状の側壁部２３，２３と、底板部２２中央部に配置された中央凸部２４とを備え、各側壁部２３，２３と中央凸部２４との間にプラグ部３，３が挿入される凹溝状のプラグ挿入溝５，５がコネクタ幅方向に間隔を置いた平行配置に形成されている。
【００２８】
雌側案内部９，９は、嵌合部２１の側壁部２３と連続した互いにコネクタ幅方向で対向する周壁部２５，２５と、コネクタ長手方向両端部に配置された端壁部２６とを備え、両周壁部２５，２５、端壁部２６及び嵌合部２１端面に囲まれて接続方向に雌側ガイド溝８が形成されている。
【００２９】
端壁部２６は、そのプラグ４側端面高さが嵌合部２１のプラグ４側端面高さより高く、互いにコネクタ長手方向で対向して立ち上げた形状に形成され、両端壁部２６，２６の内側面２６ａに雄側被案内体１０の長手方向端面１０ａが案内され、両端壁部２６，２６間にプラグ４が嵌合されるようになっている。
【００３０】
また、端壁部２６には、その上端内側縁に内側に傾斜した誘導傾斜面部２７が形成され、図４（ａ）〜（ｃ）に示すように、ソケット７とプラグ４との位置がコネクタ長手方向でずれている場合、誘導用凸部１３，１３の端側傾斜面部１３ｂと誘導傾斜面部２７とが互いに摺動し、雄側被案内体１０の長手方向端面１０ａが端壁部２６の内側、即ち雌側ガイド溝８の内側面部２６ａに誘導されるようになっている。
【００３１】
雌側案内部９，９には、両周壁部２５，２５間に周壁部２５，２５と平行配置に雌側被案内体２８を備え、ソケット７とプラグ４とを接続する際、この雌側被案内体２８のコネクタ幅方向両側面２８ａ，２８ａが雄側ガイド溝１４の互いに対向する内側面１４ａ，１４ａに案内されるようになっている。
【００３２】
雌側被案内体２８は、ソケット７側端面高さが嵌合部２１のソケット７側端面高さより高く、端壁部２６の中央内側面より突出した突条状に形成されている。
【００３３】
また、雌側被案内体２８には、プラグ４側端部のコネクタ幅方向両側面部に形成された傾斜面部２９ａ，２９ａにより、プラグ４側端部にソケット７（相手）側に進むにつれてコネクタ幅方向幅が狭まる縮幅部２９が備えられている。
【００３４】
従って、図５（ａ）に示すように、ソケット７とプラグ４との位置にコネクタ幅方向でずれが生じている場合であっても、雄側ガイド溝１４の開口縁部に形成された拡開部１５の傾斜面部１３ａと縮幅部２９の傾斜面部２９ａとが互いに摺動し、図５（ｂ）に示すように、雌側被案内体２８のコネクタ幅方向側面２８ａ，２８ａが雄側ガイド溝１４の内側面部１４ａ，１４ａに誘導されるようになっている。
【００３５】
両周壁部２５，２５には、接続方向に凹むように切欠いた形状の回避用切欠部３０が形成され、プラグ４とソケット７との位置にコネクタ幅方向でずれが生じても、雄側被案内体１０と周壁部２５，２５とが互いに接触しないようになっている。尚、回避用切欠部３０のコネクタ長手方向幅は、雄側被案内体１０のコネクタ長手方向幅と略同じかやや大きく形成されることが好ましい。
【００３６】
また、端壁部２６の誘導傾斜面部２７と回避用切欠部３０の一方側縁とは連続して形成され、ソケット７とプラグ４との長手方向位置にずれが生じている場合であっても、誘導用凸部１３，１３の端側傾斜面部１３ｂと誘導傾斜面部２７とが互いに摺動し、雄側被案内体１０の長手方向端面が端壁部２６の内側、即ち雌側ガイド溝８の内側面部２６ａに誘導されるので、雄側被案内体１０と周壁部２５，２５とが互いに接触しないようになっている。
【００３７】
このように構成された基板接続コネクタ１では、プラグ４の雄側被案内体のソケット側端面高さがプラグ部３のソケット側端面高さより高く、ソケット７の雌側案内部９，９の開口端面高さが嵌合部２１のプラグ側端面高さより高く形成されているので、ソケット７とプラグ４とを接続する際、雌雄の被誘導体２８，１０の端部と雌雄のガイド溝８，１４の開口縁部が始めに接触し、互いに所定の位置に案内するようになっている。
【００３８】
その際、薄肉の周壁部２５，２５に回避用切欠部３０を設けたことにより、プラグ４とソケット７との位置がコネクタ幅方向でずれが生じた場合であっても、破損し易い周壁部２５，２５への雄側被案内体１０の接触が回避されるので破損を防止することができる。
【００３９】
一方、雌側案内部９に周壁部２５，２５と平行配置に雌側被案内体２８を備え、雄側被案内体１０に雄側ガイド溝１４を備え、雌側被案内体２８のコネクタ幅方向両側面部２８ａ，２８ａを雄側ガイド溝１４の内側面部１４ａ，１４ａに案内させることで、コネクタ幅方向の位置決めができるようになっている。
【００４０】
さらに、雌側被案内体１０を雌側案内部９の中央部に配置したことにより、雄側ガイド溝１４の相手側開口縁部に拡開部１５を、雌側被案内体２８の相手側端部に縮幅部２９を形成するスペースを確保することができ、コネクタが小型化されてもコネクタ幅方向の位置ずれに好適に対応することができる。
【００４１】
尚、上述の実施例では、プラグ４及びソケット７の構造は、上述の実施例に限定されず、例えば、プラグ部３が一のみである構造であってもよく、プラグ部が３以上の複数であってもよい。
【００４２】
また、上述の実施例では、プラグ４に雄側被案内体１０，１０を設け、ソケット７に雌側案内部９，９を設けた例について説明したが、構造によっては、プラグ４に雌側案内部９，９を設け、ソケット７に雄側被案内体１０，１０を設けるようにしてもよい。
【符号の説明】
【００４３】
１  基板接続コネクタ
２  プラグ側信号端子
３  プラグ部
４  プラグ
５  プラグ挿入溝
６  ソケット側信号端子
７  ソケット
８  雌側ガイド溝
９  雌側案内部
１０  雄側被案内体
１１  プラグ本体
１２  基部
１３  誘導用凸部
１４  雄側ガイド溝
１５  拡開部
２０  ソケット本体
２１  嵌合部
２２  底板部
２３  側壁部
２４  中央凸部
２５  周壁部
２６  端壁部
２７  誘導傾斜面部
２８  雌側被案内体
２９  縮幅部
３０  回避用切欠部
【図１】
2014203554.tif 000003
【図２】
2014203554.tif 000004
【図３】
2014203554.tif 000005
【図４】
2014203554.tif 000006
【図５】
2014203554.tif 000007